(57)【要約】【課題】着座時、座席と人体が接している部分の体感温度が低く感じられ、ムレ感を防止した空調座席装置を実現する。【解決手段】座席本体４１と、送風機４３と、前記送風機４３で送風された空気を噴出する吹出口４５を持ち、座席の表面、特に人体との接触位置に沿って溝４２を設け、吹出口４５から溝４２に空気を送風する構成としたものである。送風機４３で送風された風は吹出口４５から溝４２に向かって吹き出され、コアンダ効果によって溝表面に付着し流れる。着座時は、溝に人体が接している部分を中心に、人体から強制対流によって熱が奪われ、さらに汗を気化させる。このため通常着座時は閉塞されてしまう着座部分に強い冷涼感を得ることができ、さらにの蒸れ感を防止することができる空調座席装置。【選択図】  図１
2004313491.tif 000002
【特許請求の範囲】
【請求項１】
座席本体と、送風機と、前記送風機で送風された空気を噴出する吹出口とを有し、座席の表面に溝を設け、前記吹出口から溝に空気を送風する空調座席装置。
【請求項２】
溝の吹出口側と反対側に空気を排出する排気口を設けた請求項１記載の空調座席装置。
【請求項３】
表面に溝を有するパッド部と、パッド部の表面を覆う表皮部材からなる請求項１または２記載の空調座席装置。
【請求項４】
溝の部分の周囲パッド部の硬さが硬いパッド部を有する請求項３記載の空調座席装置。
【請求項５】
パッド部の溝に溝の形状を保つ形状保持部材を持った請求項３記載の空調座席装置。
【請求項６】
表皮部材が溝形状に加工された請求項１〜５いずれか１項に記載の空調座席装置。
【請求項７】
表皮部材の溝部とパッド部の溝部か密着するよう表皮部材をパッド部方向へ縫いつけた請求項６記載の空調座席装置。
【請求項８】
表皮部材の溝部とパッド部の溝部か密着するよう表皮部材とパッド部を接着した請求項３〜６いずれか１項に記載の空調座席装置。
【請求項９】
座席本体と、送風機と、前記送風機で送風された空気を噴出する吹出口を持ち、吹出口が、座席の座部と背部の間に設けられた空調座席装置。
【請求項１０】
吹出口に、座席の背部角度に応じて吹出角度を変更する吹出方向変向手段を持った請求項１〜９いずれか１項に記載の空調座席装置。
【請求項１１】
送風機で送風される空気を冷却する冷却手段を持った、請求項１〜１０いずれか１項に記載の空調座席装置。
【請求項１２】
送風機で送風される空気を除湿する吸着作用を用いた除湿手段を持った請求項１〜１０いずれか１項に記載の空調座席装置。
【請求項１３】
除湿手段で除湿後の空気を冷却する熱交換器を持った請求項１２記載の空調座席装置。
【発明の詳細な説明】
【０００１】
【発明の属する技術分野】
本発明は、例えば自動車の座席やオフィス用椅子などにおいて、環境温度が高温であったり、長時間着座する場合においても、快適な着座感を得ることができる空調座席装置に関するものである。
【０００２】
【従来の技術】
従来のこの種の空調座席装置としては、図２３、座席内部の支持部材１に空気の流路２を形成し、支持部材の外側を多孔性部材３で覆い、小さい孔を開けた革などの多孔性の座席カバー４で支持部材１に対して多孔性部材３を包囲し、温度や湿度を調和した調和空気８を吹き出すものが開示されている。さらに、図２４に示すように、座席のカバーを多孔性の支持部材に圧縮する複数の縫い付けされた谷部９を組み込み、空気は、クッションから、前記形成された谷部まで通過可能とし、この谷部９は、存在する調和空気を移動させるための通路を提供し、谷部は付加的な通路を提供し、調和空気８は、網状フォーム層及び自動車の座席のカバーを通じて座席の占有者まで移動される構成が開示されている（たとえば特許文献１参照）。
【０００３】
また、吸湿材料を使用したものとして、図２５、図２６、図２７に示すように、背もたれ部１１は内部に空気通路１２を有しており、背もたれ部１１と空気通路１２の間には水蒸気分圧の勾配にしたがった非通気性と透湿性を併せ持った透湿層１３が配置されており、空気通路１２には背もたれ部１１から透湿してくる水蒸気が流れ込む。そして吸湿性材料を備えた空気乾燥装置１４を通して乾燥させた空気を空気通路１２に流すことで、透湿層１３が背もたれ部外側にある水蒸気を透過させ、水蒸気は乾燥した空気の中で蒸発する。
【０００４】
なお、空気乾燥装置１４は、図２６に示すように、１５、１６は空気入口１７、１８を持ったゼオライトやシリカゲルのような吸湿材料で満たされた反応容器であり、それぞれ一体化された電気ヒーター１９、２０を有し、電気駆動される空気フラップ２１で空気通路１２入口と接続されている空気出口２１、および車室に開口した空気出口２２に流路が切り替えられるようになっている。
【０００５】
上記構成において、空気乾燥装置１４を連続運転するために２つの反応容器１５、１６は交互に吸湿プロセス、ならびに再生プロセスと切り替えられる。一方の反応容器１５がヒーター１９で再生されている時（再生プロセス）、他の反応容器１６がその内部を流れる空気を吸着材料の吸湿作用によって乾燥させるとともに、吸着熱で空気の温度を加熱する（吸湿プロセス）。反応容器１６の吸着材が飽和すると、空気フラップ２１を破線のように切り替えヒーター２０を通電し反応容器１６を再生するとともに反応容器１５がその内部を流れる空気を吸着材料の吸湿作用によって乾燥させる。また図２７にしめすようにファン２３を空気出口２２近傍に配設してもよい。
【０００６】
【特許文献１】
特表平９−５０５４９９号公報
【特許文献２】
特開平１１−１２３９５９号公報
【０００７】
【発明が解決しようとする課題】
しかし、図２３に示すように、空気は流通路によって座席カバー４の小さい孔は連通されているので、着座時は、送風された空気は人体と接している部分の座席カバー４の孔からは流出せず、人体が接していない部分の孔から流出する。したがって、冷風を送風した場合は通風路からの熱伝導によって人体は冷却されるが、座席と接している人体に直接空気が届かないので、強い冷涼感は得られない。また、低湿度の空気を送風した場合は、座席と接している人体に乾燥空気が送られないので、汗の気化熱による冷涼感は得られない。さらに着座時は、圧力が加わると支持部材が潰れるので、流路が潰れ、風が座席全体に行き渡らない。
【０００８】
特に図２４に示す、谷部９付近は圧力が集中するので潰れやすく谷部９の座席カバーに設けられた小さい孔から空気は吹き出しにくい。また、座席カバーに孔を開けるので、ゴミ詰まりなどの清掃性に課題がある。またカバーの素材として孔が開けられる素材に限定される課題があった。
【０００９】
また、人体で発生した汗は、着衣、透湿層を拡散して除湿される。したがって吸湿スピードが遅く、夏季、発汗状態で着座した直後は、除湿能力が足りず、汗の吸収量が少ないので急速な快適感は得られない。
【００１０】
本発明は前記従来の課題を解決するもので、着座時に人体の皮膚表面に空調された空気を送り、車内の室温が高くても座席と人体が接している部分の体感温度が低く感じられ、ムレ感を防止した空調座席装置の実現を目的としたものである。
【００１１】
【課題を解決するための手段】
本発明は上記基課題を解決するために、座席本体と、送風機と、前記送風機で送風された空気を噴出する吹出口を持ち、座席の表面、特に人体との接触位置に沿って溝を設け、吹出口から溝に空気を送風する構成としたものである。
【００１２】
上記発明によれば、シロッコファン等の送風機で送風された風は吹出口から溝に向かって吹き出され、コアンダ効果によって溝表面に付着し流れる。着座時は、溝に人体が接している部分を中心に、人体から強制対流によって熱が奪われ、さらに汗を気化させる。このため、通常着座時は閉塞されてしまう着座部分に強い冷涼感を得ることができ、さらに蒸れ感を防止することができる。また、表皮に孔を設けないので、ごみつまりがなく、清掃性が良い。また、布など孔を開けるのが難しい表皮を持ったシートでも冷涼感あるシートを実現できる。
【００１３】
【発明の実施の形態】
請求項１に記載の発明は、座席本体と、送風機と、前記送風機で送風された空気を噴出する吹出口を持ち、座席の表面、特に人体との接触位置に沿って溝を設け、吹出口から溝に空気を送風する構成としたものである。
【００１４】
上記発明によれば、シロッコファン等の送風機で送風された風は吹出口から溝に向かって吹き出され、コアンダ効果によって溝表面に付着し流れる。着座時は、溝に人体が接している部分を中心に、人体から強制対流によって熱が奪われ、さらに汗を気化させる。このため、座席と接している部分に強い冷涼感を得ることができ、さらに通常着座時は密閉されてしまう着座部分の蒸れ感を防止することができる。また、表皮に孔を設けないので、ごみつまりがなく、清掃性が良い。
【００１５】
請求項２に記載の発明は、請求項１の構成において、溝の吹出口側と反対側に空気を排出する排気口を設けた構成としたものである。
【００１６】
上記構成によって着座時、溝全体が人体で覆われた場合においても、排気口から風が流出するので溝に人体が接している部分を中心に、人体から強制対流によって熱が奪われ、さらに汗を気化させる。このため、座席と接している部分に強い冷涼感を得ることができ、さらに通常着座時は密閉されてしまう着座部分の蒸れ感を防止することができる。
【００１７】
請求項３に記載の発明は、請求項１ないし請求項２記載の構成において、座席本体内部のパッド部の表面に溝を設け、パッド部の表面を布などの表皮部材で覆ったものである。
【００１８】
上記構成によって、着座時、圧力が加わっても溝がつぶれにくい。なお、表皮部材が通気性の布の場合、溝が人体からの圧力によって部分的につぶれても、パッド部が表皮部材の両側面を覆い表皮部材内部を風が流れるので、冷涼感を得ること、および蒸れ感を防止することができる。
【００１９】
請求項４に記載の発明は、請求項３記載の構成において、パッド部の溝の部分を、他の部分より硬い構成としたものである。
【００２０】
上記構成によって、着座時、座席表面に圧力が加わっても溝部分のパッドの変形は抑えられるが、パッド全体は圧縮され圧力を分散させる。このため冷涼感とすわり心地の両立を図ることができる。
【００２１】
請求項５に記載の発明は、請求項３記載の構成において、パッド部のパッド部の溝に溝の形状を保つパッド部よりも剛性の高い樹脂などでできた形状保持部材を持った構成としたものである。
【００２２】
上記構成によって、着座時、座席表面に圧力が加わっても溝部分は形状保持部材によって圧力が溝下のパッドに伝わり、パッドの溝の変形は抑えられるが、パッド全体は圧縮され圧力を分散させる。このため冷涼感とすわり心地の両立を図ることができる。
【００２３】
請求項６に記載の発明は、請求項１ないし請求項５記載の構成において、表皮部材が溝形状に溝の側壁を持つように縫い付けなどで加工された構成としたものである。
【００２４】
表皮が溝形状に加工されているので、着座時、着座時、座席表面に圧力が加わっても溝部分は表皮の溝によって圧力が溝下のパッドに伝わり、溝の変形は抑えられ、溝に沿って風が流れ、冷涼感を得ること、および蒸れ感を防止することができる。
【００２５】
請求項７に記載の発明は、請求項６記載の構成において、表皮部材の溝部とパッド部の溝部か密着するよう表皮をパッド部方向へ縫いつけた構成としたものである。
【００２６】
上記構成によって、表皮の溝がパッドの溝に固定されているので、使用者が横方向に動いても表皮部材と、パッドの溝は一致したままで、溝の変形が抑えられる。また、着座時、座席表面に圧力が加わった場合、パッドは圧縮されるが、表皮の溝部とパッド部の溝部か密着するよう表皮部材とパッドが縫いつけられているので、圧縮に伴って表皮の溝が引っ張られ、溝の変形は抑えられ、溝に沿って風が流れ、冷涼感を得ること、および蒸れ感を防止することができる。
【００２７】
請求項８に記載の発明は、請求項６記載の構成において、表皮部材の溝部とパッド部の溝部か密着するよう表皮とパッド部を接着した構成としたものである。
【００２８】
上記構成によって、表皮部材の溝がパッドの溝に固定されているので、使用者が横方向に動いても表皮と、パッドの溝は一致したままで、溝の変形が抑えられる。また、着座時、座席表面に圧力が加わった場合、パッドは圧縮されるが、表皮部材の溝部とパッド部の溝部が接着されているので、圧縮に伴って表皮部材の溝が引っ張られ、溝の変形は抑えられ、溝に沿って風が流れ、冷涼感を得ること、および蒸れ感を防止することができる。
【００２９】
請求項９に記載の発明は、座席本体と、送風機と、前記送風機で送風された空気を噴出する吹出口を持ち、吹出口を、座席の座部と背部の間に設けた構成としたものである。
【００３０】
上記構成において、着座時は座席の座部と背部両方に連通した空間ができるので、吹出口を設けても着座時、吹出口が閉塞されることがない。また吹出口を座席の座部と背部の間に設けることで、１箇所の吹出口で、座部、背部両方に送風することができる。さらに、背中下部、及び背骨付近は冷涼感を強く感じるので、ここに吹出口を設置することで強い冷涼感を得ることができる。
【００３１】
請求項１０に記載の発明は、請求項１ないし請求項９記載の構成において、座部の溝に送風する座部吹出口と、背部の溝に送風する背部吹出口を持ち、座席のリクライニング角度に応じて吹出角度を変更する、ルーバー等の吹出方向変向手段を持った構成としたものである。
【００３２】
上記構成によってリクライニングシートの背部角度を変更しても、吹出方向変向手段によって座部、および背部の溝に沿って風が流れ、冷涼感を得ること、および蒸れ感を防止することができる。
【００３３】
請求項１１に記載の発明は、請求項１ないし請求項１０記載の構成において、送風機で送風される空気を冷却、除湿するペルチェ素子などの冷却手段を持った構成としたものである。
【００３４】
上記構成によって、着座時は、溝に人体が接している部分を中心に、冷風が流れるので人体から強制対流によって熱が奪われ、さらに汗を気化させる。このため、座席と接している部分に強い冷涼感を得ることができる。
【００３５】
請求項１２に記載の発明は、請求項１ないし請求項１０記載の構成において、送風機で送風される空気を除湿する吸着作用を用いたゼオライトやシリカゲルなどの除湿手段を持った構成としたものである。
【００３６】
上記構成によって、着座時は、溝に人体が接している部分を中心に、低湿度の空気が流れ、着衣と人体の間にも拡散するため、皮膚表面の汗を気化させ気化熱を奪うので、夏季のシートが熱い状態においてもすぐに冷涼感を得ることができる。また長時間着座している場合においても、低湿度空気によって着衣および人体の皮膚表面が乾燥し、ムレ感のない快適性が提供できる。
【００３７】
【実施例】
以下、本発明の実施例について図面を用いて説明する。
【００３８】
（実施例１）
図１は実施例１の空調座席装置の斜視図であり、図２は図１のＡ−Ａ断面の拡大断面図である。
【００３９】
座席本体４１は、座席の表面、特に人体との接触位置に沿って溝４２を設けてある座席本体であり、内部にシロッコファン等の送風機４３が装備されており、前記送風機４３で送風された空気は通風路４４によって、溝に空気を噴出する送風する吹出口４５に送られる構成としたものである。
【００４０】
上記発明によれば、送風機４３で送風された風は吹出口４５から溝４２に向かって吹き出され、コアンダ効果によって溝４２表面に付着し流れる。着座時は、溝４２に人体が接している部分を中心に、人体から強制対流によって熱が奪われ、さらに汗を気化させる。このため、座席と接している部分に強い冷涼感を得ることができ、さらに通常着座時は密閉されてしまう着座部分の蒸れ感を防止することができる。また、表皮に穴を設けないので、ごみつまりがなく、清掃性が良い。また、布など穴を開ける加工が難しい表皮を持ったシートでも冷涼感あるシートを実現できる。
【００４１】
なお図２に示すように座席本体４１内部の発泡ウレタン等のパッド部４６を覆う革や織布等の表皮部材４７と、パッド部に設けられた金属板や金属棒等の固定部材４８を糸４９で縫いつけ、パッド部を圧縮することで溝４２を形成する。
【００４２】
なお、図３は図２に示す形態とは異なった他の実施例を示すが、図３に示すように、座席本体内部のパッド部４６の表面に溝を設け、パッド部の表面を布などの表皮部材４７で覆った構成では、着座時、人体から圧力が加わっても溝がつぶれにくい。なお、表皮部材４７が通気性の布の場合、溝４１が人体からの圧力によって部分的につぶれても、パッド部４６が表皮部材４７の両側面を覆い表皮部材４７内部を風が流れるので、冷涼感を得ること、および蒸れ感を防止することができる。
【００４３】
（実施例２）
図４は実施例２における着座時における空調座席装置の座部５０の断面図である。なお、実施例１と同一の番号のものは同一の機能を果たす。本実施例において、実施例１と異なるのは、溝４２の吹出口４５側と反対側に空気を排出する排気口５２を設けた構成としたものである。上記構成によって人体５３が着座時、溝全体が人体で覆われた場合においても、排気口５２から風が流出するので溝に人体が接している部分を中心に、人体から強制対流によって熱が奪われ、さらに汗を気化させる。このため、座席と接している部分に強い冷涼感を得ることができ、さらに通常着座時は密閉されてしまう着座部分の蒸れ感を防止することができる。
【００４４】
なお、図５に示すように、排気口を溝４２下部から表皮を貫通するように設けた穴とした構成においては、常に排気口が確保されるので、着座位置に限らず、座席と接している部分に強い冷涼感を得ることができ、さらに通常着座時は密閉されてしまう着座部分の蒸れ感を防止することができる。
【００４５】
（実施例３）
図６は実施例３の空調座席装置における図１のＡ−Ａ断面の他の例を示す拡大断面図である。なお、実施例１と同一の番号のものは同一の機能を果たす。本実施例において、実施例１と異なるのは、パッド部４６の溝の周囲のパッド部５４の発泡率を小さくし、全体のパッド部よりも硬い構成としたものである。上記構成によって、着座時、座席表面に圧力が加わっても溝４２の変形は抑えられるが、パッド全体は圧縮され圧力を分散させる。このため冷涼感とすわり心地の両立を図ることができる。なお、溝４２の周囲にパッド部より硬いパッド部材を設けても同様の効果が得られる。
【００４６】
（実施例４）
図７は実施例４の空調座席装置における図１のＡ−Ａ断面の他の例を示す拡大断面図である。なお、実施例１と同一の番号のものは同一の機能を果たす。本実施例において、実施例１と異なるのは、パッド部４６のパッド部の溝に、溝の形状を保つパッド部よりも剛性の高い樹脂などでできた形状保持部材５５を持った構成としたものである。上記構成によって、着座時、座席表面に圧力が加わっても溝部分は形状保持部材５５によって圧力が溝下のパッドに伝わり、パッドの溝の変形は抑えられるが、パッド全体は圧縮され圧力を分散させる。このため冷涼感とすわり心地の両立を図ることができる。
【００４７】
（実施例５）
図８は実施例５の空調座席装置における図１のＡ−Ａ断面の他の例を示す拡大断面図、図９は座席本体４１座部５０の斜視図である。なお、実施例１と同一の番号のものは同一の機能を果たす。本実施例において、実施例１と異なるのは、表皮部材４７が溝形状に溝の側壁５６を持つように縫い付け５７などで加工された構成としたものである。表皮が溝形状に加工されているので、着座時、着座時、座席表面に圧力が加わっても溝４２は表皮の溝によって圧力が溝４２下のパッドに伝わり、溝４２の変形は抑えられ、溝４２に沿って風が流れ、冷涼感を得ること、および蒸れ感を防止することができる。
【００４８】
（実施例６）
図１０は実施例６の空調座席装置における図１のＡ−Ａ断面の他の例を示す拡大断面図である。なお、実施例５と同一の番号のものは同一の機能を果たす。本実施例において、実施例５と異なるのは、表皮部材の溝部とパッド部の溝部か密着するよう表皮とパッド部に設けられた金属板や金属棒等の固定部材５８を糸５９で縫いつけた構成としたものである。上記構成によって、表皮部材４７の溝がパッドの溝に固定されているので、使用者が横方向に動いても表皮と、パッドの溝は一致したままで、溝の変形が抑えられる。また、着座時、座席表面に圧力が加わった場合、パッドは圧縮されるが、表皮部材４７の溝部とパッド部の溝部か密着するよう表皮とパッドが縫いつけられているので、圧縮に伴って表皮の溝が引っ張られ、溝の変形は抑えられ、溝に沿って風が流れ、冷涼感を得ること、および蒸れ感を防止することができる。
【００４９】
（実施例７）
図１１は実施例７の空調座席装置における図１のＡ−Ａ断面の他の例を示す拡大断面図である。なお、実施例５と同一の番号のものは同一の機能を果たす。本実施例において、実施例５と異なるのは、表皮部材４７の溝部とパッド部４６の溝部か密着するよう表皮部材４７とパッド部４６を接着剤６０で接着した構成としたものである。上記構成によって、表皮部材４７の溝がパッドの溝に固定されているので、使用者が横方向に動いても表皮部材４７と、パッドの溝は一致したままで、溝の変形が抑えられる。また、着座時、座席表面に圧力が加わった場合、パッドは圧縮されるが、表皮の溝部とパッド部の溝部が接着されているので、圧縮に伴って表皮の溝が引っ張られ、溝の変形は抑えられ、溝に沿って風が流れ、冷涼感を得ること、および蒸れ感を防止することができる。
【００５０】
（実施例８）
図１２は実施例８の空調座席装置の断面図であり図１３は吹出口付近の拡大断面図、図１４はリクライニング状態での空調座席装置の断面図であり図１３はその吹出口付近の拡大断面図はである。なお、実施例１と同一の番号のものは同一の機能を果たす。図において、座席本体の座部５０と背部５１の間に設けられた吹出口４５は送風分離板６３によって座部５０の溝４２に送風する座部吹出口６４と、背部５１の溝４２に送風する背部吹出口６５に分けられ、座席のリクライニング角度に応じて背部吹出口吹出角度を変更する駆動手段６２を持った、ルーバー等の吹出方向変向手段６１を持った構成としたものである。上記構成によってシートを立てた状態（図１２、図１３）からリクライニング状態（図１４、図１５）に変更した場合、吹出方向変向手段６１が駆動し、背部吹出口６５は背部の溝４２に沿って風が流れる。上記構成によって、リクライニングシートにおいて、リクライニング角度を変更しても冷涼感を得ること、および蒸れ感を防止することができる。
【００５１】
なお、図１６、図１７に示すように吹出口４５に、ステッピングモーター等の駆動手段６２によって自在に駆動される吹出方向変向手段６１を設けた構成では、図１６荷示すように、吹出方向変向手段６１を上方に向けた場合は背部５１に送風され、吹出方向変向手段６１を水平に向けた場合は座部５０に送風され、リクライニング角度に応じて吹出方向を変更できる。さらに、送風中、吹出方向変向手段６１を駆動することによって、送風を背部５１、座部５０と切り替えることができ、揺らぎ効果で冷涼感を増すことができる。
【００５２】
（実施例９）
図１８は実施例９の空調座席装置の断面図である。なお、実施例８と同一の番号のものは同一の機能を果たす。本実施例は実施例８の構成に加え、送風機４３で送風される空気を冷却、除湿するペルチェ素子などの冷却手段６６をと前記冷却手段６６の冷却面と伝熱関係を持ち送風機で送風された空気を冷却する第１熱交換器６７と冷却素子の廃熱を座席本体外に放出する第２熱交換器を持った構成としたものである。上記構成によって、着座時は、溝４２に人体が接している部分を中心に、冷風が流れるので人体から強制対流によって熱が奪われ、さらに汗を気化させる。このため、座席と接している部分に強い冷涼感を得ることができる。
【００５３】
なお、ペルチェ素子の通電極性を逆にすることで、第１熱交換器によって送風機４３で送風される空気を加熱し、暖房に用いることもできる。
【００５４】
（実施例１０）
図１９は実施例１０の空調座席装置の断面図である。なお、実施例８と同一の番号のものは同一の機能を果たす。本実施例は実施例８の構成に加え、送風機４３で送風される空気を加熱する電気ヒータ等の加熱手段７０を設けた構成としたものである。上記構成において室温が高い場合は、送風機４３のみを駆動し、冷涼感を得ること、および蒸れ感を防止することができる。また室温が低い場合は送風機４３と加熱手段７０を駆動することで暖房に用いることもできる。
【００５５】
（実施例１１）
図２０、図２１は実施例１１の空調座席装置の断面図である。なお、実施例８と同一の番号のものは同一の機能を果たす。本実施例は実施例８の構成に加え、送風機で送風される空気を除湿する吸着作用を用いたゼオライトやシリカゲルなどの除湿手段７３および除湿手段７３を加熱する加熱手段７２、除湿手段から座席本体４１外に連通した排出風路７５、および、排気の排出風路７５の開閉を行う排出風路切替手段７４を持った構成としたものである。切替部７４は、図２２に示す再生モードにおいて排出風路７５への通路を開き、通風路４４を閉じる。また図２１に示す除湿モードにおいては排出風路７５への通路を閉じ、通風路４４を開く。
【００５６】
上記構成によって、図２１に示す除湿モードにおいて、送風機４３を駆動すると、送風機４３で送られた空気は除湿手段７３で除湿され、低湿度の空気となる。そして、乾燥空気は吹出口４５から座部５０、および背部５１の溝４２に送られ、着座時は溝に人体が接している部分を中心に、着衣と人体の間にも拡散するため、皮膚表面の汗を気化させ気化熱を奪い、夏季のシートが熱い状態においてもすぐに冷涼感を得ることができる。また長時間着座している場合においても、低湿度空気によって着衣および人体の皮膚表面が乾燥し、ムレ感のない快適性が提供できる。
【００５７】
なお、除湿手段の除湿性能が低下した場合は図２２に示す再生モード運転を行う。加熱手段７２を通電し、送風機を停止、または送風量を低下して運転し、除湿手段７３を加熱する。除湿手段がシリカゲルの場合は、除湿手段が１２０℃になると吸着していた水分を脱離し、発生した水蒸気を排出風路から座席本体４１外に排出する。特に直径０．５ｍｍのステンレス細線からなる５０メッシュの金網に通電する加熱手段７２の表面にゼオライト等の吸着材を担持して吸着手段７３を構成した場合、再生モードでは７０Ｗの電力を３０秒加えることで約０．７ｇの水分が脱離する。除湿モード運転３０秒−再生モード運転３０秒を繰り返すことで、除湿モードで除湿空気を溝４２に供給し冷涼感を得、再生モード中も溝にある除湿空気が着衣、人体表面に拡散するので、冷涼感が持続し、連続的に冷涼感を得、ムレ感を防止することができる。
【００５８】
なお、図２３は、図２１の構成に加え、吸着手段７３と通風路４４の間に隔壁の両側にフィンを付けたフィンプレート型の熱交換器７６を設けた構成としたものである。除湿モードで、送風機で送られた空気は除湿手段７３で水蒸気を吸着されるが、吸着熱が発生し、高温低湿度の空気となる。高温低湿度の空気は熱交換器７６で室内空気と熱交換され、温度が低下し吹出口４５から溝４２に吹き出す。本構成では溝に送られる風の温度が低いので、より冷涼感を得ることができる。
【００５９】
【発明の効果】
以上のように、本発明によれば、着座時も、溝に人体が接している部分を中心に、人体から強制対流によって熱が奪われ、さらに汗を気化させる。このため、座席と接している部分に強い冷涼感を得ることができ、さらに通常着座時は密閉されてしまう着座部分の蒸れ感を防止することができる。また、表皮に孔を設けないので、ごみつまりがなく、清掃性が良い。また、布など孔を開けるのが難しい表皮を持ったシートでも冷涼感あるシートを実現できる。
【図面の簡単な説明】
【図１】本発明の実施例１における空調座席装置の斜視図
【図２】図１におけるＡ−Ａ拡大断面図
【図３】図１のＡ−Ａ断面における別の構成の拡大断面図
【図４】本発明の実施例２における空調座席装置の着座時の断面図
【図５】本発明の実施例２における別の構成の空調座席装置の着座時の断面図
【図６】本発明の実施例３の空調座席装置の拡大断面図（図１のＡ−Ａ断面における別の構成の拡大断面図）
【図７】本発明の実施例４の空調座席装置の拡大断面図（図１のＡ−Ａ断面における別の構成の拡大断面図）
【図８】本発明の実施例５の空調座席装置の拡大断面図（図１のＡ−Ａ断面における別の構成の拡大断面図）
【図９】本発明の実施例５の空調座席装置の座部を示す部分斜視図
【図１０】本発明の実施例６の空調座席装置の拡大断面図（図１のＡ−Ａ断面における別の構成の拡大断面図）
【図１１】本発明の実施例７の空調座席装置の拡大断面図（図１のＡ−Ａ断面における別の構成の拡大断面図）
【図１２】本発明の実施例８の空調座席装置の断面図
【図１３】図１２の部分拡大断面図
【図１４】本発明の実施例８の空調座席装置の断面図
【図１５】図１２の部分拡大断面図
【図１６】本発明の実施例８における別の構成の空調座席装置の拡大断面図
【図１７】本発明の実施例８における別の構成の空調座席装置の拡大断面図
【図１８】本発明の実施例９の空調座席装置の断面図
【図１９】本発明の実施例１０の空調座席装置の断面図
【図２０】本発明の実施例１１の空調座席装置の除湿モードにおける動作を示す断面図
【図２１】本発明の実施例１１の空調座席装置の再生モードにおける動作を示す断面図
【図２２】本発明の実施例１１における別の構成の空調座席装置の断面図
【図２３】従来の空調座席装置の座部の構成を示す断面図
【図２４】従来の空調座席装置の拡大断面図
【図２５】従来の空調座席装置の断面構成図
【図２６】従来の空調座席装置の空気乾燥装置の構成図
【図２７】従来の空調座席装置の空気乾燥装置の他の例を示す構成図
【符号の説明】
４１  座席本体
４２  溝
４３  送風機
４５  吹出口
４６  パッド部
４７  表皮部材
５２  排気口
５４  溝の周囲のパッド部
５５  形状保持部材
５６  側壁
６１  吹出方向変向手段
６７  冷却手段
７３  除湿手段
７６  熱交換器
【図１】
2004313491.tif 000003
【図２】
2004313491.tif 000004
【図３】
2004313491.tif 000005
【図４】
2004313491.tif 000006
【図５】
2004313491.tif 000007
【図６】
2004313491.tif 000008
【図７】
2004313491.tif 000009
【図８】
2004313491.tif 000010
【図９】
2004313491.tif 000011
【図１０】
2004313491.tif 000012
【図１１】
2004313491.tif 000013
【図１２】
2004313491.tif 000014
【図１３】
2004313491.tif 000015
【図１４】
2004313491.tif 000016
【図１５】
2004313491.tif 000017
【図１６】
2004313491.tif 000018
【図１７】
2004313491.tif 000019
【図１８】
2004313491.tif 000020
【図１９】
2004313491.tif 000021
【図２０】
2004313491.tif 000022
【図２１】
2004313491.tif 000023
【図２２】
2004313491.tif 000024
【図２３】
2004313491.tif 000025
【図２４】
2004313491.tif 000026
【図２５】
2004313491.tif 000027
【図２６】
2004313491.tif 000028
【図２７】
2004313491.tif 000029